(57)【特許請求の範囲】
【請求項１】
少なくとも後身頃を有する身頃と、前記身頃の左右両側にそれぞれ設けられた左袖および右袖とを備える衣料の上半身部であって、
少なくとも前記後身頃に、矯正引張部を備え、
前記左袖のうち、少なくとも上端部の背面は、長さ方向に４５ｃＮ以上の伸張力をかけても２０％の伸張にならない２０％未満の伸びない構成とされ、
前記右袖のうち、少なくとも上端部の背面は、長さ方向に４５ｃＮ以上の伸張力をかけても２０％の伸張にならない２０％未満の伸びない構成とされている、衣料の上半身部。
【請求項２】
前記左袖のうち、上端部の背面から正面が、長さ方向に４５ｃＮ以上の伸張力をかけても２０％の伸張にならない２０％未満の伸びない構成とされ、
前記右袖のうち、上端部の背面から正面が、長さ方向に４５ｃＮ以上の伸張力をかけても２０％の伸張にならない２０％未満の伸びない構成とされている、
請求項１に記載の衣料の上半身部。
【請求項３】
前記左袖の周方向の伸長力が、２０％伸長時に４５ｃＮ以上であり、
前記右袖の周方向の伸長力が、２０％伸長時に４５ｃＮ以上である、
請求項１に記載の衣料の上半身部。
【請求項４】
前記左右の袖が、半袖、七分袖または長袖である、請求項１から請求項３までのいずれか一項に記載の衣料の上半身部。
【発明の詳細な説明】
【技術分野】
【０００１】  本発明は、衣類の上半身部に関する。
【背景技術】
【０００２】  着用者の上半身の少なくとも一部を覆うことができる衣類の上半身部が知られている（例えば、特許文献１参照）。
【先行技術文献】
【特許文献】
【０００３】
【特許文献１】特開２０１４−１９６５８７号公報
【発明の概要】
【発明が解決しようとする課題】
【０００４】  人は、例えば、スマートフォン等の携帯機器を利用するとき、前記携帯機器の操作のために、前記携帯機器をもつ腕が当該人の正面中央側にまわるように肩が所定の姿勢とる場合に比べて当該人の前方に出てしまう姿勢をとりやすい（所謂巻き肩になりやすい）。この姿勢は、頻繁にまたは連続して長時間にわたって保持された場合、人に肩こりまたは姿勢の悪化等の問題をもたらし得る。【０００５】  なお、ここでの所定の姿勢とは、一般的に知られている正しい姿勢である。この正しい姿勢とは、具体的には例えば、平坦面に起立している人をその真横から見た場合に、その人の首のつけ根、肩、ひじ、くるぶしが略一直線上に位置するような姿勢である。【０００６】  本発明は、このような事情に鑑みてなされたものであり、着用者の姿勢の矯正のために、着用者が、腕が正面中央側にまわるように肩が前方に出てしまう姿勢をとることを抑制できる衣服の上半身部の提供を目的とする。
【課題を解決するための手段】
【０００７】  本発明のうち、第１の発明は、  少なくとも後身頃を有する身頃と、前記身頃の左右両側にそれぞれ設けられた左袖および右袖を備える衣料の上半身部であって、  少なくとも前記後身頃に、着用者の左右の肩甲骨を互いに引き寄せるための矯正引張部を備え、  前記左袖のうち、少なくとも上端部の背面は、長さ方向において２０％伸長時に４５ｃＮ以上となる伸長力を有し、  前記右袖のうち、少なくとも上端部の背面は、長さ方向において２０％伸長時に４５ｃＮ以上となる伸長力を有するものである。【０００８】  なお、前記右袖および前記左袖の各々の伸長力（２５ｃＮ）、更に特許請求の範囲に記載された伸長力とは、製造に用いられる生地等の素材を、幅２．５ｃｍ、長さ（生地把持間隔）１０ｃｍの状態で、引張り速度３０ｃｍ／分で所定方向に１０％伸長させた時の伸長力の意味である。【０００９】  この構成によれば、前記衣料の上半身部の着用時、前記左袖の上端部および前記右袖の上端部を着用者の後方（着用者の背面中央側）へ移動させようとする強い力を前記衣料の上半身部に付与できることが新たに知見された。すなわち、着用者の左腕および右腕の各々を着用者の背面中央側に向かって移動させようとする力を、着用者の左腕ひいては左肩に常に加えるとともに、着用者の右腕ひいては右肩に常に加えることができる。【００１０】  したがって、着用者の右腕および右肩と左腕および左肩とに後方への高い負荷をかけて、前記着用者が、右腕および左腕がそれぞれ着用者の正面中央側にまわるように着用者の右肩および左肩の各々が前方に出てしまう姿勢を頻繁にまたは連続して長時間にわたってとりづらくなるようにすることができる。よって、着用者が、前記衣類を着用する際、常に前記姿勢をとろうとすること（所謂、巻き肩や猫背になること）を抑制でき、着用者の姿勢を矯正できる。しかも、既に巻き肩や猫背になった人に対しても優れた矯正効果を得ることができる。【００１１】  前記第１の発明の別の態様によれば、  前記左袖のうち、上端部の背面から正面が、長さ方向において２０％伸長時に４５ｃＮ以上となる伸長力を有し、  前記右袖のうち、上端部の背面から正面が、長さ方向において２０％伸長時に４５ｃＮ以上となる伸長力を有する。【００１２】  前記第１の発明の更なる態様によれば、  前記左袖の周方向の伸長力が、２０％伸長時に４５ｃＮ以上であり、  前記右袖の周方向の伸長力が、２０％伸長時に４５ｃＮ以上である。【００１３】  本発明のうち、第２の発明は、  少なくとも後身頃を有する身頃と、前記身頃の左右両側にそれぞれ設けられた左袖および右袖とを備える衣料の上半身部であって、  少なくとも前記後身頃に、着用者の左右の肩甲骨を互いに引き寄せるための矯正引張部を備え、  前記左袖のうち、少なくとも上端部の背面は、長さ方向に４５ｃＮ以上の伸張力をかけても２０％の伸張にならない２０％未満の伸びない構成とされ、  前記右袖のうち、少なくとも上端部の背面は、長さ方向に４５ｃＮ以上の伸張力をかけても２０％の伸張にならない２０％未満の伸びない構成とされているものである。【００１４】  この構成によれば、前記衣料の上半身部の着用時、前記左袖の上端部および前記右袖の上端部を着用者の後��（着用者の背面中央側）へ移動させようとする強い力を前記衣料の上半身部に付与できることが新たに知見された。すなわち、着用者の左腕および右腕の各々を着用者の背面中央側に向かって移動させようとする力を、着用者の左腕ひいては左肩に常に加えるとともに、着用者の右腕ひいては右肩に常に加えることができる。【００１５】  したがって、着用者の右腕および右肩と左腕および左肩とに後方への高い負荷をかけて、前記着用者が、右腕および左腕がそれぞれ着用者の正面中央側にまわるように着用者の右肩および左肩の各々が前方に出てしまう姿勢を頻繁にまたは連続して長時間にわたってとりづらくなるようにすることができる。よって、着用者が、前記衣類を着用する際、常に前記姿勢をとろうとすること（所謂、巻き肩や猫背になること）を抑制でき、着用者の姿勢を矯正できる。しかも、既に巻き肩や猫背になった人に対しても優れた矯正効果を得ることができる。【００１６】  前記第２の発明の別の態様によれば、  前記左袖のうち、上端部の背面から正面が、長さ方向に４５ｃＮ以上の伸張力をかけても２０％の伸張にならない２０％未満の伸びない構成とされ、  前記右袖のうち、上端部の背面から正面が、長さ方向に４５ｃＮ以上の伸張力をかけても２０％の伸張にならない２０％未満の伸びない構成とされている。【００１７】  前記第２の発明の更なる態様によれば、  前記左袖の周方向の伸長力が、２０％伸長時に４５ｃＮ以上であり、  前記右袖の周方向の伸長力が、２０％伸長時に４５ｃＮ以上である。【００１８】  本発明のまた別の態様によれば、  前記左右の袖が、半袖、七分袖または長袖である。
【発明の効果】
【００１９】  本発明によれば、着用者の姿勢の矯正のために、着用者が、腕が正面中央側にまわるように肩が前方に出てしまう姿勢をとることを抑制できる衣服の上半身部を提供できる。
【図面の簡単な説明】
【００２０】
【図１】本発明の一実施形態に係る衣類の上半身部の正面図である。
【図２】図１の衣類の上半身部の背面図である。
【図３】本発明の別の実施形態に係る衣類の背面図である。
【図４】本発明のまた別の実施形態に係る衣類の背面図である。
【図５】本発明のさらに別の実施形態に係る衣類の背面図である。
【図６】図１の衣類の上半身部が着用され状態を示す模式平面図である。
【図７】本発明のまた別の実施形態に係る衣類の背面図である。
【発明を実施するための形態】
【００２１】  本発明の実施形態について図面を参照しつつ説明する。
【００２２】  図１に、本発明の一実施形態に係る衣類の上半身部１の正面図を示す。図２に、衣類の上半身部１の背面図を示す。なお、図１および図２においては、平らに広げられた通常状態にある衣類の上半身部１を示す。
【００２３】  図１、図２に示すように、衣類の上半身部１は、着用者の上半身に装着され得るものである。詳しくは、衣類の上半身部１は、肌着として着用され得るもの（インナウェア）、または、肌着の上に着用される中衣もしくは上着として着用され得るもの（アウターウェア）である。本実態形態において、衣類の上半身部１は、着用者の上半身の略全体を覆うことができるシャツである。衣類の上半身部１は、着用者の上半身に対してフィットした状態で装着される。
【００２４】  衣類の上半身部１は、身頃２と、左袖３と、右袖４とを備えている。この身頃２は、少なくとも後身頃１２を有するものである。そしてこの身頃２の左右両側に、左袖３および右袖４がそれぞれ設けられている。本実施形態において、身頃２は、後身頃１２に設けられた前身頃１１を更に有している。なお、身頃２は、本実施形態においては前身頃１１と後身頃１２とを別体に構成したものとしているが、前身頃１１と後身頃１２とを一体に構成したものとしてもよい。
【００２５】  身頃２は、伸縮性を有している。身頃２は、衣類の上半身部１の上下方向を軸方向とする筒状体である。前身頃１１は、衣類の上半身部１を着用した着用者の身体（上半身）の正面に対応する部分であり、着用者の上半身の概ね正面全部を覆うことができるように構成されている。後身頃１２は、衣類の上半身部１を着用した着用者の身体（上半身）の背面に対応する部分であり、着用者の上半身の概ね背面全部を覆うことができるように構成されている。
【００２６】  身頃２において、前身頃１１と後身頃１２とは、襟ぐり６、裾７、左袖ぐり８および右袖ぐり９が形成されるように接続されている。裾７は、身頃２の上下方向（高さ方向）に関して襟ぐり６の下方に配されている。左袖ぐり８は、身頃２の左右方向に関して襟ぐり６の左側に配されている。右袖ぐり９は、身頃２の左右方向（幅方向）に関して襟ぐり６の右側に配されている。
【００２７】  詳しくは、前身頃１１と後身頃１２とは、襟ぐり６、裾７、左袖ぐり８および右袖ぐり９となる各開口部分が形成され得るように、かつ、前後方向に並ぶように筒状を呈し得るように縫合されている。これにより、身頃２は、襟ぐり６および裾７の各々を開口部として有する筒形状を呈し、着用者の上半身の概ね全部を覆うことができるようになっている。また、前身頃１１と後身頃１２とは、それぞれ、本実施形態においては略左右対称な形状を有している。
【００２８】  左袖３は、着用者の左腕に対してフィットしつつ装着され得るように構成されている。左袖３は、本実施形態においては身頃２から延びるように左袖ぐり８に直接接続されている。より詳しくは、左袖３は、正面部とこれに対して一体または別体に設けられた背面部とから筒状体をなすものであり、身頃２に連通するように接続されている。左袖３は、その長さ方向（軸方向、図１における矢印５３方向）の所定範囲にわたって、着用者の左腕に直接または間接的に接触する（フィットする）ように伸長しつつ、着用者の左腕を包み得るようになっている。
【００２９】  右袖４は、着用者の右腕に対してフィットしつつ装着され得るように構成されている。右袖４は、本実施形態においては身頃２から延びるように右袖ぐり９に直接接続されている。より詳しくは、右袖４は、右袖４は、正面部とこれに対して一体または別体に設けられた背面部とから筒状体をなすものであり、身頃２に連通するように接続されている。右袖４は、その長さ方向（軸方向、図１における矢印５５方向）の所定範囲にわたって、着用者の右腕に直接または間接的に接触する（フィットする）ように伸長しつつ、着用者の右腕を包み得るようになっている。
【００３０】  なお、左袖３および右袖４は、身頃２の左右両側にそれぞれ設けられるものであればよい。例えば、左袖３は、本実施形態においては身頃２と別体に構成したものとしているが、身頃２（前身頃１１および後身頃１２の少なくとも一方）と一体に構成したものとしてもよい。右袖４は、本実施形態においては身頃２と別体に構成したものとしているが、身頃２２（前身頃１１および後身頃１２の少なくとも一方）と一体に構成したものとしてもよい。
【００３１】  また、衣類の上半身部１は、少なくとも後身頃１２に、着用者の左右の肩甲骨を互いに引き寄せるための矯正引張部２０を備えている。
【００３２】  矯正引張部２０は、着用者の背面側において、左袖３の上端部（左袖３において身頃２側に配された長さ方向一端部）４１を右袖４側へ引っ張り、かつ、右袖４の上端部４２（右袖４において身頃２側に配された長さ方向一端部）を左袖３側へ引っ張ることができるように構成されている。
【００３３】  本実施形態において、矯正引張部２０は、左袖３の上端部４１の背面の引張りを実行するために第１境界部分２１を右袖４側へ引っ張り、かつ、右袖４の上端部４２の背面の引張りを実行するために第２境界部分２２を前記左袖３側へ引っ張ることができるように構成されている。
【００３４】  ここで、第１境界部分２１とは、後身頃１２と左袖３の上端部４１の背面との間の領域およびその近傍の領域である。第２境界部分２２とは、後身頃１２と右袖４の上端部４２の背面部との間の領域およびその近傍の領域である。
【００３５】  矯正引張部２０は、ゴム部材等の弾性体から構成されている。矯正引張部２０は、身頃２のうち左袖ぐり８および右袖ぐり９の各々の上端から下端までに対応する上側領域１３に納まる大きさを有している。矯正引張部２０は、略平坦な矩形板状に形成されている。
【００３６】  矯正引張部２０は、後身頃１２のうち身頃２の上側領域１３に対応する第１の部分２５において、後身頃１２の左右方向（身頃２の周方向）に延在するように配される。そして、矯正引張部２０は、後身頃１２における第１の部分２５に、第１境界部分２１および第２境界部分２２の各々に対する引張性能が損なわれないように縫着または接着等により取り付けられている。
【００３７】  本実施形態において、矯正引張部２０は、後身頃１２のみに取り付けられている。具体的には、矯正引張部２０の左端部２７が、第１の部分２５において第１境界部分２１付近に存在する後身頃１２の第１取付箇所３１に取り付けられている。矯正引張部２０の右端部２８が、第１の部分２５において第２境界部分２２付近に存在する後身頃１２の第２取付箇所３２に取り付けられている。
【００３８】  なお、本発明における「後身頃に矯正引張部を備える構成」とは、前記矯正引張部を前記後身頃のみに取り付けた状態で前記後身頃に対向配置する構成（本実施形態における前述の構成）のほか、前記矯正引張部を前記後身頃には取り付けずに左右の袖に取り付けた状態で前記後身頃に対向配置する構成や、前記矯正引張部を前記後身頃および前記左右の袖に取り付けた状態で前記後身頃に対向配置する構成を含む。
【００３９】  したがって、矯正引張部２０は、後身頃１２から左袖３の上端部４１の背面まで延び、かつ、後身頃１２から右袖４の上端部４２の背面まで延びるように、左袖３の上端部４１の背面と右袖４の上端部４２の背面との間に架け渡した状態で、後身頃１２に対向配置してもよい。
【００４０】  例えば、図３に示すように、矯正引張部２０の左端部２７を、左袖３の上端部４１の背面に備えられた第３取付箇所３３に取り付ける。矯正引張部２０の右端部２８を、右袖４の上端部４２の背面に備えられた第４取付箇所３４に取り付ける。そして、矯正引張部２０を、左袖３の上端部４１の背面と右袖４の上端部４２の背面との間に架設しつつ、後身頃１２に対向配置する。
【００４１】  この場合、矯正引張部２０は、後身頃１２には取り付けない。しかし、矯正引張部２０は、第３取付箇所３３および第４取付箇所３４に加えて、後身頃１２には取り付けることも可能である。
【００４２】  または、図４に示すように、矯正引張部２０の左端部２７を、後身頃１２の第１取付箇所３１と左袖３の背面の第３取付箇所３３とに取り付ける。矯正引張部２０の右端部２８を、後身頃１２の第２取付箇所３２と右袖４の背面の第４取付箇所３４とに取り付ける。そして、矯正引張部２０を、左袖３の上端部４１およびこの上端部４１につながる後身頃１２の左側と右袖４の上端部４２およびこの上端部４２につながる後身頃１２の右側との間に架設しつつ、後身頃１２に対向配置する。
【００４３】  また、矯正引張部２０は、後身頃１２から左袖３の上端部４１の背面を経てその上端部４１の正面まで延びるように、かつ、後身頃１２から右袖４の上端部４２の背面を経てその上端部４２の正面まで延びるように、左袖３の上端部４１の背面と右袖４の上端部４２の背面との間に架け渡した状態で、後身頃１２に対向配置してもよい。
【００４４】  例えば、図５に示すように、矯正引張部２０の左側を、左袖３の背面の第３取付箇所３３から左袖３の正面に備えられた第５取付箇所３５にわたって取り付ける。矯正引張部２０の右側を、右袖４の背面の第４取付箇所３４から右袖４の正面に備えられた第６取付箇所３６にわたって取り付ける。そして、矯正引張部２０を、左右の袖３・４の上端部４１・４２間に架設しつつ、後身頃１２に対向配置する。
【００４５】  このようにして、矯正引張部２０は、着用者による衣類の上半身部１の着用後に衣類の上半身部１の左右方向に関して着用者の身体に応じて伸長するとともに、着用者による衣類の上半身部１の着用後または衣類の上半身部１の着用前および着用後に後身頃１２の左右方向に関して収縮作用を発揮できるように、少なくとも後身頃１２に備えられている。
【００４６】  なお、矯正引張部２０は、後身頃１２の第１の部分２５において第１境界部分２１と第２境界部分２２との間の左右幅が後身頃１２の上下位置によって異なるように設定されている場合には、第１の部分２５のうちその左右幅が最小となる部分で収縮作用を発揮できるように設けるのが好ましい。
【００４７】  また、左袖３のうち、少なくとも上端部４１の背面は、長さ方向において２０％伸長時に４５ｃＮ以上となる伸長力を有している。右袖４のうち、少なくとも上端部４２の背面は、長さ方向において２０％伸長時に４５ｃＮ以上となる伸長力を有している。
【００４８】  ここでの伸長力とは、左袖３および右袖４に関して、それぞれの製造に用いられる素材（生地）を、定速伸長形引張試験機により、約２０℃（１８℃〜２２℃）の環境下において、幅２．５ｃｍ、長さ（生地把持間隔）１０ｃｍの状態で、引張り速度３０ｃｍ／分で所定方向に１０％伸長させた時の伸長長力である。本件では定速伸長形引張試験機として島津製作所製ＡＧＳ−Ｘを採用し、これを用いて測定した伸長力を記載している。
【００４９】  なお、左袖３のうち、少なくとも上端部４１の背面の長さ方向の伸長力は、２０％伸長時に６０ｃＮ以上であることが好ましく、２０％伸長時に８０ｃＮ以上であることがより好ましい。右袖４のうち、少なくとも上端部４２の背面の長さ方向の伸長力は、２０％伸長時に６０ｃＮ以上であることが好ましく、２０％伸長時に８０ｃＮ以上であることがより好ましい。
【００５０】  このような構成により、衣類の上半身部１が着用者により着用されたとき、衣類の上半身部１を着用者の上半身に対してフィットさせて、矯正引張部２０を後身頃１２の左右方向（身頃２の周方向）に伸長させた状態にできる。そのため、この際には、矯正引張部２０が収縮作用を発揮することとなり、この収縮作用が、着用者の左右の肩甲骨を引き寄せるために、矯正引張部２０の引張作用として左袖３の上端部４１およびこの上端部４１につながる後身頃１２の左側（身頃２と左袖３との境目付近）と右袖４の上端部４２およびこの上端部４２につながる後身頃１２の右側（身頃２と右袖４との境目付近）に対して働く。
【００５１】  したがって、矯正引張部２０が、左袖３の上端部４１（第１境界部分２１）を右袖４側（図６中の矢印４６方向）へ引っ張るとともに、右袖４の上端部４２（第２境界部分２２）を左袖３側（図６中の矢印４５方向）へ引っ張ることになる。すなわち、着用者の左腕および右腕の各々を着用者の背面中央５０側に向かって移動させようとする力が、矯正引張部２０により着用者の左腕ひいては左肩に常に加わるとともに、着用者の右腕ひいては右肩に常に加わることになる。
【００５２】  よって、着用者の右腕および右肩と左腕および左肩とに、後方への高い負荷をかけて、図６に示すような腕が正面中央側にまわるように右腕につながる右肩および左腕につながる左肩の各々が前方に出てしまう姿勢６０を、衣類の上半身部１を着用した着用者５１が頻繁にまたは連続して長時間にわたってとりづらくなるようにすることができる。結果、着用者が、衣類の上半身部１を着用する際、常に姿勢６０をとろうとすること（所謂、巻き肩になること）を抑制でき、着用者の姿勢を矯正できる。さらに、既に巻き肩になった人に衣類の上半身部１を着用させた場合でも、その巻き肩を矯正することができる。
【００５３】  なお、矯正引張部２０は、本実施形態においては単体のゴム部材から構成されたものとしているが、これに限定するものではなく、例えば、図７に示すように、複数のゴム部材７１・７２から構成されたものとしてもよい。
【００５４】  また、本実施形態においては、左袖３の周方向（図１における矢印５４方向）の伸長力が、２０％伸長時に４５ｃＮ以上である。右袖４の周方向（図１における矢印５６方向）の伸長力が、２０％伸長時に４５ｃＮである。
【００５５】  なお、左袖３の周方向の伸長力は、２０％伸長時に８０ｃＮ以上であることが好ましく、２０％伸長時に１００ｃＮ以上であることがより好ましい。右袖４の周方向の伸長力は、２０％伸長時に８０ｃＮ以上であることが好ましく、２０％伸長時に１００ｃＮ以上であることがより好ましい。
【００５６】  ここで、衣料の上半身部１は、左袖３のうち、上端部４１の背面から正面が、長さ方向において２０％伸長時に４５ｃＮ以上となる伸長力を有し、かつ、右袖４のうち、上端部４２の背面から正面が、長さ方向において２０％伸長時に４５ｃＮ以上となる伸長力を有するものとしてもよい。
【００５７】  この場合には、左袖３のうち、少なくとも上端部４１の背面から正面の長さ方向の伸長力は、２０％伸長時に６０ｃＮ以上であることが好ましく、２０％伸長時に８０ｃＮ以上であることがより好ましい。右袖４のうち、少なくとも上端部４２の背面から正面の長さ方向の伸長力は、２０％伸長時に６０ｃＮ以上であることが好ましく、２０％伸長時に８０ｃＮ以上であることがより好ましい。
【００５８】  また、前述の構成に代えて、左袖３のうち、少なくとも上端部４１の背面を、左袖３の長さ方向に４５ｃＮ以上の伸張力をかけても２０％の伸張にならない２０％未満の伸びない構成とするとともに、右袖４のうち、少なくとも上端部４２の背面を、右袖４の長さ方向に４５ｃＮ以上の伸張力をかけても２０％の伸張にならない２０％未満の伸びない構成としてもよい。
【００５９】  このような伸びない構成を採用する場合に、左袖３のうち、上端部４１の背面から正面を、長さ方向に４５ｃＮ以上の伸張力をかけても２０％の伸張にならない２０％未満の伸びない構成とし、かつ、右袖４のうち、上端部４２の背面から正面を、４５ｃＮ以上の伸張力をかけても２０％の伸張にならない２０％未満の伸びない構成としてもよい。
【００６０】  なお、前述の２０％未満の伸びない構成とは、全く伸びない構成を含むものである。
【００６１】  しかも、前記伸びない構成を採用する場合には、左袖３の周方向の伸長力を２０％伸長時に４５ｃＮ以上とし、右袖４の周方向の伸長力を２０％伸長時に４５ｃＮ以上としてもよい。
【００６２】  なお、この場合における左袖３の周方向の伸長力は、２０％伸長時に８０ｃＮ以上であることが好ましく、２０％伸長時に１００ｃＮ以上であることがより好ましい。右袖４の周方向の伸長力は、２０％伸長時に８０ｃＮ以上であることが好ましく、２０％伸長時に１００ｃＮ以上であることがより好ましい。
【００６３】  また、本実施形態において、左袖３は、衣類の上半身部１の着用者の左腕における上腕と前腕の少なくとも一部とを覆う長袖である。右袖４は、衣類の上半身部１の着用者の右腕における上腕と前腕の少なくとも一部とを覆う長袖である。ここでの長袖とは、着用者の上腕と前腕の略全部とを覆う本実施形態のような袖に加えて、着用者の上腕と前腕の大部分を覆う袖を含む。
【００６４】  このような構成により、着用者による衣類の上半身部１の着用時、左袖３を着用者の左腕の上腕および前腕の少なくとも一部に応じて伸長させて、この左腕の比較的広範囲な部分に対する密着度を高めることとなる。また、この際、右袖４を着用者の右腕の上腕および前腕の少なくとも一部に応じて伸長させて、この右腕の比較的広範囲な部分に対する密着度を高めることとなる。
【００６５】  したがって、左袖３が着用者の左肩に向かってずり上がりすぎることを防止できる。右袖４が着用者の右肩に向かってずり上がりすぎることを防止できる。よって、身頃２（左袖ぐり８）と左袖３との境目部分が着用者の左脇付近に食い込んだり、身頃２（右袖ぐり９）と右袖４との境目部分が着用者の右脇付近に食い込んだりすることを阻止して、右袖４、左袖３またはこれら双方のずり上がりに起因する衣類の上半身部１の着用感の悪化を回避できる。
【００６６】  なお、本発明に係る衣類の上半身部は、本実施形態においては長袖である左袖３と長袖である右袖４とを備える衣類の上半身部１としているが、これに限定するものではなく、例えば、着用者の左腕における上腕を覆う半袖である左袖と着用者の右腕における上腕を覆う半袖である右袖とを備える衣類の上半身部であってもよいし、七分袖である左袖と七分袖である右袖とを備える衣類の上半身部であってもよい。
【００６７】  上述の教示を考慮すれば、本発明が多くの変更形態および変形形態をとり得ることは明らかである。したがって、本発明が、添付の特許請求の範囲内において、本明細書に記載された以外の方法で実施され得ることを理解されたい。
【符号の説明】
【００６８】  １    衣類の上半身部  ２    身頃  ３    左袖  ４    右袖  １２  後身頃  ２０  矯正引張部  ４１  左袖の上端部  ４２  右袖の上端部
【図１】
0006651181.tif 000002
【図２】
0006651181.tif 000003
【図３】
0006651181.tif 000004
【図４】
0006651181.tif 000005
【図５】
0006651181.tif 000006
【図６】
0006651181.tif 000007
【図７】
0006651181.tif 000008